(57)【要約】【課題】ＩＤカード作成のための申請書に記載されたＩＤ番号を複数の異なる読取装置で読み取られた結果を比較することにより、ＩＤカード作成システムの信頼性を高める。【解決手段】ＩＤカード作成システム内の撮影装置４は、ＩＤカードの申請書に記載された申請人のＩＤ番号を読み取り、読み取られたＩＤ番号の文字認識を行うＯＣＲ部２２と、申請書の記載内容を読み取り、当該申請書のイメージデータを取得するイメージスキャナ２３ａと、イメージスキャナ２３ａにより取得された申請書のイメージデータから、申請人のＩＤ番号を切出して、ＩＤ番号の文字認識を行う認識部５１と、ＯＣＲ部２２で認識された申請人のＩＤ番号と、認識部５１で認識された申請人のＩＤ番号を比較することにより、当該申請人のＩＤ番号の整合性を判別する判別部５２と、を備える。【選択図】図３
2005254563.tif 000002
【特許請求の範囲】
【請求項１】
ＩＤカードの申請書に記載された申請人の識別情報を読み取り、当該識別情報の文字認識を行う文字認識装置と、
前記申請書の記載内容を読み取り、当該申請書のイメージデータを取得するイメージスキャナと、
前記イメージスキャナにより取得された申請書のイメージデータから、前記申請人の識別情報を切出して、当該識別情報の文字認識を行う認識部と、
前記文字認識装置で認識された申請人の識別情報と、前記認識部で認識された申請人の識別情報を比較することにより、当該申請人の識別情報の整合性を判別する判別部と、
を備えることを特徴とするＩＤカード作成システム。
【請求項２】
前記判別部により、前記文字認識装置で認識された申請人の識別情報と、前記認識部で認識された申請人の識別情報が整合すると判別された場合、当該申請人の識別情報を含む情報ファイルを、通信ネットワークを介して、各申請人の情報ファイルが格納されたファイルサーバに送出する送出手段を備えることを特徴とする請求項１に記載のＩＤカード作成システム。
【請求項３】
ＩＤカードの申請書に記載された申請人の識別情報を読み取り、当該識別情報の文字認識を行う第１の認識工程と、
前記申請書の記載内容を読み取り、当該申請書のイメージデータを取得するイメージデータ取得工程と、
前記イメージデータ取得工程において取得された申請書のイメージデータから、前記申請人の識別情報を切出して、当該識別情報の文字認識を行う第２の認識工程と、
前記第１の認識工程において認識された申請人の識別情報と、前記第２の認識工程において認識された申請人の識別情報を比較することにより、当該申請人の識別情報の整合性を判別する判別工程と、
を含むことを特徴とするＩＤカード作成方法。
【請求項４】
前記判別工程において、前記第１の認識工程において認識された申請人の識別情報と、前記第２の認識工程において認識された申請人の識別情報が整合すると判別された場合、当該申請人の識別情報を含む情報ファイルを、通信ネットワークを介して、各申請人の情報ファイルが格納されたファイルサーバに送出する送出工程を含むことを特徴とする請求項３に記載のＩＤカード作成方法。
【発明の詳細な説明】
【技術分野】
【０００１】
本発明は、社員証、各種免許証等のＩＤカードを作成するＩＤカード作成システム及びＩＤカード作成方法に関する。
【背景技術】
【０００２】
社員証、免許証、各種会員証等のＩＤカードを作成するＩＤカード作成システムには、本人の氏名、生年月日、住所等の個人情報、ＩＤ番号（識別情報）及び本人の顔画像データから構成される情報ファイルを保管するファイルサーバが備えられている。ＩＤカードを更新する際には、撮影装置により顔画像を撮影するとともに、申請書の記載内容を、撮影装置に備えられたＯＣＲ（Optical Character Reader）及びイメージスキャナで読み取り、撮影により得られた顔画像データと、ＯＣＲ及びイメージスキャナにより読み取られた申請書の記載内容に基づいて更新申請人の情報ファイルが作成され、ファイルサーバに保管された当該更新申請人の情報ファイルが更新される（例えば、特許文献１参照。）。
【０００３】
図９のフローチャートを参照して、ＩＤカードの更新時に撮影装置により実行される画像データベース作成処理について説明する。
【０００４】
申請書が撮影装置に挿入されると、申請書に記載されたＩＤ番号が、ＯＣＲで読み取られて文字認識され、文字認識されたＩＤ番号が情報ファイルとして格納される（ステップＴ１）。ＯＣＲによる読み取りが終了した申請書は、イメージスキャナに搬送される。ステップＴ１でＩＤ番号が情報ファイルとして格納されると、ビデオカメラ等により申請人の顔画像が撮影され、撮影により得られた顔画像データがＩＤ番号に対応付けて情報ファイルとして格納される（ステップＴ２）。
【０００５】
また、ステップＴ１でＩＤ番号が情報ファイルとして格納されると、ステップＴ２の処理と並行して、申請書の記載内容がイメージスキャナにより読み取られ、申請書のイメージデータが取得され（ステップＴ３）、申請書のイメージデータが、ＩＤ番号に対応付けて情報ファイルとして格納される（ステップＴ４）。
【０００６】
また、ステップＴ２〜Ｔ４の処理と並行して、ステップＴ１で文字認識されたＩＤ番号を検索キーとして、通信ネットワークを介して、ホストコンピュータが備えるデータベースから該当する個人情報が取得され、その取得された個人情報が当該ＩＤ番号に対応付けて情報ファイルとして格納される。
【０００７】
次いで、ＩＤ番号、個人情報、顔画像データ及び申請書イメージデータを格納した情報ファイルが、通信ネットワークを介してファイルサーバに送出され（ステップＴ５）、ファイルサーバ内の画像データベースに情報ファイルが格納され、本画像データベース作成処理が終了する。
【特許文献１】特開平９−１６７２２３号公報
【発明の開示】
【発明が解決しようとする課題】
【０００８】
しかしながら、上述の技術では、イメージスキャナにおいて紙詰まりが発生した場合、情報ファイルのデータ管理に不整合が発生し、ＯＣＲにより文字認識されたＩＤ番号と、イメージスキャナにより得られた申請書イメージデータ上のＩＤ番号が異なるという事態が生じる恐れがあった。従って、ファイルサーバ内に作成された画像データベースからＩＤ番号により本人照会を行う場合、申請人のものと異なる申請書イメージデータを呼び出す恐れがあり、ＩＤカード作成システムの信頼性を低下させてしまうという問題があった。
【０００９】
本発明の課題は、ＩＤカード作成のための申請書に記載されたＩＤ番号を複数の異なる読取装置で読み取られた結果を比較することにより、ＩＤカード作成システムの信頼性を高めることである。
【課題を解決するための手段】
【００１０】
上記課題を解決するため、請求項１に記載の発明は、ＩＤカードの申請書に記載された申請人の識別情報を読み取り、当該識別情報の文字認識を行う文字認識装置と、前記申請書の記載内容を読み取り、当該申請書のイメージデータを取得するイメージスキャナと、前記イメージスキャナにより取得された申請書のイメージデータから、前記申請人の識別情報を切出して、当該識別情報の文字認識を行う認識部と、前記文字認識装置で認識された申請人の識別情報と、前記認識部で認識された申請人の識別情報を比較することにより、当該申請人の識別情報の整合性を判別する判別部と、を備えることを特徴としている。
【００１１】
請求項２に記載の発明は、請求項１に記載のＩＤカード作成システムにおいて、前記判別部により、前記文字認識装置で認識された申請人の識別情報と、前記認識部で認識された申請人の識別情報が整合すると判別された場合、当該申請人の識別情報を含む情報ファイルを、通信ネットワークを介して、各申請人の情報ファイルが格納されたファイルサーバに送出する送出手段を備えることを特徴としている。
【００１２】
請求項３に記載の発明は、ＩＤカードの申請書に記載された申請人の識別情報を読み取り、当該識別情報の文字認識を行う第１の認識工程と、前記申請書の記載内容を読み取り、当該申請書のイメージデータを取得するイメージデータ取得工程と、前記イメージデータ取得工程において取得された申請書のイメージデータから、前記申請人の識別情報を切出して、当該識別情報の文字認識を行う第２の認識工程と、前記第１の認識工程において認識された申請人の識別情報と、前記第２の認識工程において認識された申請人の識別情報を比較することにより、当該申請人の識別情報の整合性を判別する判別工程と、を含むことを特徴としている。
【００１３】
請求項４に記載の発明は、請求項３に記載のＩＤカード作成方法において、前記判別工程において、前記第１の認識工程において認識された申請人の識別情報と、前記第２の認識工程において認識された申請人の識別情報が整合すると判別された場合、当該申請人の識別情報を含む情報ファイルを、通信ネットワークを介して、各申請人の情報ファイルが格納されたファイルサーバに送出する送出工程を含むことを特徴としている。
【発明の効果】
【００１４】
本発明によれば、文字認識装置及びイメージスキャナにより、同一の申請書の記載内容を読み取り、文字認識装置で認識された申請人の識別情報（例えば、ＩＤ番号）と、イメージスキャナから取得されて認識された申請人の識別情報を比較して、当該申請人の識別情報の整合性を判別することにより、申請人の識別情報を誤認識することがなくなり、ＩＤカード作成システムの信頼性を高めることができる。
【発明を実施するための最良の形態】
【００１５】
以下、図面を参照して、本発明の実施形態を詳細に説明する。
まず、本実施形態における構成について説明する。
【００１６】
図１に、本発明を適用した実施形態におけるＩＤカード作成システム１００の全体構成を示す。ＩＤカード作成システム１００は、図１に示すように、ホスト１、ファイルサーバ２、登録装置３、撮影装置４、ＩＤカード作成装置５により構成され、これらの各装置は、通信ネットワークＮを介して相互に接続される。ここで、通信ネットワークＮは、専用線を利用して構築された通信ネットワークであり、ＬＡＮ（Local Area Network）、ＷＡＮ（Wide Area Network）等の様々な回線形態を適用することが可能である。
【００１７】
なお、１台のホスト１に通信ネットワークＮを介して接続される登録装置３の台数、撮影装置４の台数、ＩＤカード作成装置５の台数は、特に限定されない。
【００１８】
また、以下では、主に、会社等の団体に所属する社員のＩＤカード（在職（社員）証明カード等）を作成する場合を想定してＩＤカード作成システム１００を説明するが、それに限らず、所定資格を管理・統括する団体が有するものであってもよい。
【００１９】
ホスト１は、ファイルサーバ２、登録装置３、撮影装置４、ＩＤカード作成装置５と通信ネットワークＮを介して接続され、ＤＢ（Data Base）１ａを備えている。ＤＢ１ａは、各社員のＩＤ番号、個人情報（氏名、住所、所属、生年月日等）を格納している。ホスト１は、ＤＢ１ａに格納される情報の更新や読み出しを制御する。
【００２０】
ファイルサーバ２は、例えば、ＰＣ（Personal Computer）等により構成され、各社員のＩＤ番号、顔画像データ、個人情報（氏名、住所、所属、生年月日等）、申請書のイメージデータからなる情報ファイルを格納するＤＢを備えている。ファイルサーバ２は、ＩＤカードの申請人（社員）の個人情報等に変更があった場合（ＩＤカードを更新する場合）に、撮影装置４から送信された申請人の情報ファイル（ＩＤ番号、顔画像データ、個人情報及び申請書イメージデータ）をＤＢに格納する。つまり、ファイルサーバ２は、ＩＤカーを作成するための最新の情報を格納しており、ホスト１のＤＢ１ａがダウンした場合の予備のＤＢとしての機能を有している。また、ファイルサーバ２は、顔画像データ、申請書イメージデータを有しているので、本人確認に使用される場合もある。
【００２１】
登録装置３は、ＰＣ（Personal Computer）等により構成され、キーボードやマウス等の入力デバイスを用いて入力されたＩＤカードの登録申請人の個人情報（氏名、住所、所属、年齢、性別等）をホスト１に送信することによって、ＩＤカードの会員登録を要請する。
【００２２】
撮影装置４は、ＩＤカードを作成するために申請人の顔を撮影して顔画像データを取得する。また、撮影装置４は、ＩＤカードの更新時に、ＯＣＲ部２２、イメージスキャナ２３ａ（図２及び図３参照）により更新申請書を読み取り、読み取り結果及び申請人の顔画像データから情報ファイル（図５参照）を作成し、作成された情報ファイルをファイルサーバ２に送信する（図４参照）。撮影装置４の詳細については、後に図２及び図３を参照して説明する。
【００２３】
ＩＤカード作成装置５は、撮影装置４からＩＤカードの作成に必要な印刷データを受信して、ＩＤカードの表面に印刷データの印字を行ってＩＤカードを作成する。
【００２４】
図２に、撮影装置４の側面内部透視図を示す。撮影装置４は、図２に示すように、読取部２０と、申請人の顔画像を撮影するビデオカメラ４１を内蔵した装置制御部４０から構成されている。
【００２５】
読取部２０の上部には、申請書αの投入口２１、申請書αの投入許可状態を表示するための投入可能ランプ２６ａが設けられている。投入可能ランプ２６ａは、申請書αが投入可能な状態のときは点灯しており、申請書αが投入不可状態のときは消灯する。
【００２６】
申請書αは、図２に示すように、申請人の住所、氏名、生年月日等の個人情報と、ＩＤ番号が記載されている。申請書αを読み取りが行われる向きにして投入口２１から投入すると、申請書αは、搬送ローラ等の搬送手段によって搬送経路に沿って鉛直方向下方に搬送される。申請書αを鉛直方向下方に搬送する搬送経路上には、本発明の文字認識装置としてのＯＣＲ部２２と、イメージスキャナ２３ａを備えるスキャナ部２３が設けられ、スキャナ部２３の下部には、スキャナ部２３から搬送された申請書を収納するための申請書バケット２４が設けられている。
【００２７】
ＯＣＲ部２２は、申請書αに記載されたＩＤ番号を光学的に読み取り、ＩＤ番号として文字認識する。ＯＣＲ部２２による読み取り後、申請書αは、搬送方向下流に設けられたスキャナ部２３に搬送される。
【００２８】
スキャナ部２３は、イメージスキャナ２３ａにより申請書αの記載内容を光学的に読み取って申請書イメージデータを取得する。スキャナ部２３による読み取り後、申請書αは、搬送方向下流に設けられた申請書バケット２４に搬送され、順次収納されていく。
【００２９】
図３に、撮影装置４の内部構成を示す。撮影装置４は、図３に示すように、読取部２０及び装置制御部４０から構成されている。
【００３０】
読取部２０は、図３に示すように、防止ピン駆動部２５、報知部２６、ローラ駆動部２７、申請書有無センサ２８、ＯＣＲ部２２、スキャナ部２３により構成される。
【００３１】
防止ピン駆動部２５は、装置制御部４０のＣＰＵ４４から入力された制御信号に従って、搬送阻止手段としての防止ピン２５ｂを駆動させる。具体的に、防止ピン駆動部２５は、操作部４２の操作により申請書αの読み取りが指示されると、押圧力をもって搬送経路上に挿入されている防止ピン２５ｂを、その押圧力に抗するように引張力をもって駆動（ロ方向）する。申請書αが投入口２１に投入されると、ローラ駆動部２７の制御により申請書αが搬送されるが、このとき、防止ピン駆動部２５は、防止ピン２５ｂへの引張力を解除させる。これにより、搬送中の申請書αは、イ方向に押圧される。従って、申請書αは防止ピン２５ｂに押圧されながら搬送され、申請書αが防止ピン２５ｂを通過し終わった瞬間に防止ピン２５ｂは搬送経路上に挿入されて、次なる申請書αの投入を阻止する。
【００３２】
報知部２６は、申請書αの投入許可状態を表示するための投入可能ランプ２６ａ（図２参照）を備える。投入可能ランプ２６ａは、ＬＥＤ（Light Emitting Diode）等により構成され、ＣＰＵ４４から入力される制御信号に従って点灯したり消灯したりする。投入可能ランプ２６ａは、申請書αが投入可能な状態のときは点灯しており、申請書αが投入不可状態のときは消灯する。
【００３３】
ローラ駆動部２７は、搬送ローラ群２７ａを備え、ＣＰＵ４４から入力される制御信号に従って搬送ローラ群２７ａを回転駆動し、搬送経路上の申請書αを搬送させる。
【００３４】
申請書有無センサ２８は、図２に示すように、ＯＣＲ部２２の下方の搬送経路上に設けられ、ＯＣＲ部２２からスキャナ部２３に搬送される申請書αを検知し、検知信号をＣＰＵ４４に出力する。例えば、申請書有無センサ２８は、搬送中の申請書αが、申請書有無センサ２８を通過し終わると、申請書αの無し状態を検知し、その検知信号をＣＰＵ４４に出力する。申請書αの無し状態を示す検知信号を受けたＣＰＵ４４は、防止ピン駆動部２５に、防止ピン２５ｂをロ方向へ駆動するように指示する。これにより、次の申請書αの投入が許可される。
【００３５】
ＯＣＲ部２２は、申請書αに記載されたＩＤ番号を光学的に読み取り、読み取りにより得られたイメージデータから文字を認識し、認識されたＩＤ番号のテキストコードデータを装置制御部４０内の判別部５２及びファイル編集制御部４５に出力する。
【００３６】
スキャナ部２３は、イメージスキャナ２３ａ及びメモリ２３ｂにより構成される。イメージスキャナ２３ａは、申請書αの記載内容を光学的に読み取って申請書イメージデータを取得し、取得されたイメージデータをメモリ２３ｂに出力する。メモリ２３ｂは、イメージスキャナ２３ａから入力された申請書イメージデータを格納する。
【００３７】
装置制御部４０は、ＣＰＵ（Central Processing Unit）４４、操作部４２、イメージデータ圧縮部４６、表裏判別部４８、閾値メモリ４８ａ、認識部５１、判別部５２、ファイル編集制御部４５、ビデオカメラ４１、通信制御部４９、表示部５０、メモリ４７により構成される。
【００３８】
ＣＰＵ４４は、読取部２０及び装置制御部４０の各部を統括的に制御する。
操作部４２は、カーソルキー、数字入力キー、各種機能キーから構成されるキーボードを備え、キーボードの押下操作による操作信号をＣＰＵ４４に出力する。なお、操作部４２は、マウス、タッチパネル等の他の入力デバイスを備えるようにしてもよい。
【００３９】
イメージデータ圧縮部４６は、スキャナ部２３のメモリ２３ａに格納された申請書イメージデータに対し、例えば、ＭＭＲ方式によって白又は黒画素のランレングスに基づいたイメージデータの圧縮を施し、圧縮後のイメージデータをファイル編集制御部４５に出力する。
【００４０】
表裏判別部４８は、イメージデータ圧縮部４６により圧縮された申請書イメージデータの情報量をカウントし、閾値メモリ４８ａ内に予め記憶されている閾値と比較することにより、申請書αの表裏を判別し、判別結果をＣＰＵ４４に出力する。この閾値は申請書αの所定フォームを形成するための画像情報量によって設定される値である。即ち、申請書αには、個人情報、ＩＤ番号等が、予め決められたフォーム（例えば、複数の項目欄を形成するための罫線や、住所記入欄とか氏名記入欄とかいった各項目に印刷されている見出し文字）に従って記載されるようになっているため、当該フォームを形成する画像データの情報量に基づいて閾値を設定すれば、申請書αの表裏を明確に判別することができる。実際には、同一の申請書αであってもそのイメージデータの情報量にはバラツキがあるので、閾値はフォームを形成する画像情報の情報量よりも若干大きめに設定されていることが好ましい。
【００４１】
認識部５１は、メモリ２３ｂに格納された申請書イメージデータから、申請人のＩＤ番号を切出し、切出されたイメージデータに基づいてＩＤ番号の文字認識を行い、文字認識結果を判別部５２に出力する。
【００４２】
判別部５２は、ＯＣＲ部２２で文字認識された申請人のＩＤ番号と、認識部５１で文字認識されたＩＤ番号を比較することにより、当該申請人のＩＤ番号の整合性を判別し、判別結果をファイル編集制御部４５に出力する。なお、ファイルサーバ２が、認識部５１、判別部５２を備えるようにしてもよい。この場合、ファイルサーバ２は、情報ファイルのＩＤ番号と、申請書イメージデータから切出され、文字認識されたＩＤ番号の整合性を判別し、両者が不一致の場合は、警告を発するとともに、当該申請書イメージデータをファイリングしない。
【００４３】
ファイル編集制御部４５は、表裏判別部４８での判別により、申請書αの表側が読み取られたと判別された場合にのみ、イメージデータ圧縮部４６から入力される申請書イメージデータを有効なものとし、認識部５１により文字認識されたＩＤ番号を、イメージデータ圧縮部４６により圧縮された申請書イメージデータのヘッダに付加する。
【００４４】
また、ファイル編集制御部４５は、ＯＣＲ部２２で文字認識されたＩＤ番号と、ビデオカメラ４１から取得された申請人の顔画像データと、ホスト１から取得された当該申請人の個人情報と、ＩＤ番号がヘッダに付加された申請書イメージデータを合成して情報ファイル（図５参照）を作成し、作成された情報ファイルをメモリ４７に出力する。
【００４５】
また、ファイル編集制御部４５は、判別部５２により、ＯＣＲ部２２で文字認識された申請人のＩＤ番号と、認識部５１で文字認識されたＩＤ番号が一致すると判別された場合、当該ＩＤ番号を検索キーとしてメモリ４７から該当する情報ファイルを読み出し、読み出された情報ファイルをファイルサーバ２に送出するように通信制御部４９に指示する。
【００４６】
ビデオカメラ４１は、ガラス又はプラスチックからなる光学レンズ、ＣＣＤ（Charge Coupled Device）又はＣＭＯＳ(Complementary Metal Oxide Semiconductor)等の光学センサにより構成され、光学レンズを介して入力される画像を光学センサで電気信号に変換して画像信号を取得する。
【００４７】
通信制御部４９は、ＬＡＮ、ＷＡＮ等の通信ネットワークＮに接続された伝送媒体に接続可能なインターフェイスであり、通信ネットワークＮを介して外部機器と通信を行うための制御を行う。
【００４８】
表示部５０は、ＣＲＴ（Cathode Ray Tube）、ＬＣＤ（Liquid Crystal Display）等の表示画面を備え、ＣＰＵ４４から入力される表示制御信号に従って、所要の表示データを表示画面上に表示する。
【００４９】
次に、本実施形態における動作について説明する。
図４のフローチャートを参照して、撮影装置４において実行される情報ファイル作成処理について説明する。
【００５０】
ＩＤカードの更新時に、申請書αが投入口２１に挿入されると、申請書αに記載されたＩＤ番号が、ＯＣＲ部２２において読み取られて文字認識され、文字認識されたＩＤ番号が情報ファイルとして格納される（ステップＳ１）。ＯＣＲ部２２による読み取りが終了した申請書αは、スキャナ部２３に搬送される。ステップＳ１でＩＤ番号が情報ファイルとして格納されると、ビデオカメラ４１により申請人の顔画像が撮影され、撮影により得られた顔画像データがＩＤ番号に対応付けて情報ファイルとして格納される（ステップＳ２）。
【００５１】
また、ステップＳ１でＩＤ番号が情報ファイルとして格納されると、ステップＳ２の処理と並行して、申請書αの記載内容がイメージスキャナ２３ａにより読み取られ、申請書αのイメージデータが取得される（ステップＳ３）。そして、ステップＳ３で取得された申請書イメージデータの中からＩＤ番号部分が切出され、切出されたイメージデータからＩＤ番号が文字認識される（ステップＳ４）。
【００５２】
次いで、ステップＳ４で文字認識されたＩＤ番号が、ステップＳ３で取得された申請書イメージデータのヘッダ部分に格納され（ステップＳ５）、その申請書イメージデータが、ステップＳ１で認識されたＩＤ番号（ＯＣＲ部２２で文字認識されたＩＤ番号）に対応付けて情報ファイルとして格納される（ステップＳ６）。
【００５３】
また、ステップＳ２〜Ｓ６の処理と並行して、ステップＳ１で文字認識されたＩＤ番号を検索キーとして、通信ネットワークＮを介して、ＤＢ１ａから該当する個人情報が取得され、その取得された個人情報が該当ＩＤ番号に対応付けて情報ファイルとして格納されることによって、図５に示すような情報ファイルＭが作成される。情報ファイルＭは、図５に示すように、ＩＤ番号、個人情報、顔画像データ及び申請書イメージデータが合成されたファイルである。
【００５４】
次いで、情報ファイルＭに格納されたＩＤ番号と、情報ファイルＭの申請書イメージデータのヘッダに格納されたＩＤ番号が比較され（ステップＳ７）、ＩＤ番号の整合性が判別される（ステップＳ８）。
【００５５】
ステップＳ８において、ＩＤ番号が整合しないと判別された場合（ステップＳ８；ＮＯ）、エラー処理が行われ（ステップＳ１０）、本情報ファイル作成処理が終了する。ステップＳ１０のエラー処理では、例えば、表示部５０に、ＩＤ番号が整合しなかった旨が表示される。ステップＳ８において、ＩＤ番号が整合すると判別された場合（ステップＳ８；ＹＥＳ）、作成された情報ファイルＭが、通信ネットワークＮを介してファイルサーバ２に送出され（ステップＳ９）、本情報ファイル作成処理が終了する。
【００５６】
以上のように、本実施形態のＩＤカード作成システム１００によれば、ＯＣＲ部２２及びイメージスキャナ２３ａにより、同一の申請書の記載内容を読み取り、ＯＣＲ部２２で認識された申請人のＩＤ番号と、イメージスキャナ２３ａから取得されて認識部５１で認識された申請人のＩＤ番号を比較して、当該申請人のＩＤ番号の整合性を判別することにより、申請人のＩＤ番号を誤認識することがなくなり、ＩＤカード作成システム１００の信頼性を高めることができる。
【００５７】
なお、本実施形態における記述内容は、本発明の趣旨を逸脱しない範囲で適宜変更可能である。
【００５８】
例えば、本実施形態では、図５に示すようなデータ構成の情報ファイルＭがファイルサーバ２に送出されるものとしたが、ファイルサーバ２に送出する情報ファイルに、図６に示すように、ファイルの形態を示すモード情報を付加するようにすると、情報ファイルを受け取るファイルサーバ２において、受け取った情報ファイルの形態を判別することができる。
【００５９】
図６に、情報ファイルの形態の一例として、３つのモード（モード１、モード２、モード３）の情報ファイルのデータ構成を示す。モード１の情報ファイルＭ１は、ＩＤ番号、顔画像データ、個人情報、モード情報から構成される。情報ファイルＭ１の「モード情報」には、モード１を表すデータが格納される。例えば、申請書の読み取りが不要な場合などは、情報ファイルＭ１が撮影装置４からファイルサーバ２に送出される。
【００６０】
モード２は、同一のＩＤ番号に対して、２つの情報ファイルＭ２１及びＭ２２を有し、各々の情報ファイルは、異なるタイミングでファイルサーバ２に送出される。情報ファイルＭ２１は、ＩＤ番号、顔画像データ、個人情報、モード情報から構成される。情報ファイルＭ２２は、ＩＤ番号、申請書データ、個人情報、モード情報から構成される。情報ファイルＭ２１及びＭ２２の「モード情報」には、モード２を表すデータが格納される。
【００６１】
例えば、イメージスキャナ２３ａが故障している場合には、最初に、申請書イメージデータを含まない情報ファイルＭ２１がファイルサーバ２に送出され、イメージスキャナ２３ａの復旧後、該当する申請書の記載内容が読み取られて申請書イメージデータが取得される。そして、情報ファイルＭ２２が作成され、ファイルサーバ２に送出される。また、ビデオカメラ４１が故障している場合には、最初に、顔画像データを含まない情報ファイルＭ２２がファイルサーバ２に送出され、ビデオカメラ４１の復旧後、顔画像が撮影されて情報ファイルＭ２１が作成され、ファイルサーバ２に送出される。
【００６２】
モード３の情報ファイルＭ３は、ＩＤ番号、申請書データ、個人情報、モード情報から構成される。情報ファイルＭ３の「モード情報」には、モード３を表すデータが格納される。顔画像の撮影が不要な場合などは、撮影装置４からファイルサーバ２に情報ファイルＭ３が送出される。
【００６３】
図７に、情報ファイルを受信するファイルサーバ２の主要部構成を示す。ファイルサーバ２は、図７に示すように、通信制御部２０１、メモリ２０２、編集部２０３により構成される。
【００６４】
通信制御部２０１は、通信ネットワークＮを介して外部機器と通信を行うための制御を行う。メモリ２０２は、受信された情報ファイルを一時的に記憶する。編集部２０３は、受信された情報ファイルのモード情報を判別する。編集部２０３は、受信された情報ファイルのモード情報がモード１又はモード３の場合、当該情報ファイルに欠落データがないものとみなし、当該情報ファイルをＤＢ２０４に格納する。一方、受信された情報ファイルのモード情報がモード２の場合（例えば、情報ファイルＭ２１が受信された場合）、編集部２０３は、当該情報ファイルを一旦メモリ２０２に格納し、その情報ファイルに含まれたＩＤ番号及びモード情報と同一の情報ファイル（情報ファイルＭ２２）が受信されるのを待機する。該当する情報ファイル（情報ファイルＭ２２）が受信されると、編集部２０３は、情報ファイルＭ２１及びＭ２２を合成し、合成した情報ファイルをＤＢ２０４に格納する。又は、顔画像と申請書イメージデータを別々に同一のＩＤ番号に関連付けて格納する。
【００６５】
このように、撮影装置４で故障等が発生し、作成される情報ファイルに欠落データが生じても、情報ファイルにファイルの形態を示すモード情報を付加することにより、ファイルサーバ２では、モード情報から、受信した情報ファイルに欠落データがあるか否かを判別し、欠落データがある場合は、その欠落データを含む情報ファイルの受信を待機するようにしたため、必要なデータが全て揃った完全な情報ファイルのみをＤＢ２０４に格納することができる。従って、撮影装置４で故障が発生したとしても、ファイルサーバ２には、正しい情報ファイルが格納されるため、ＩＤカード作成システム１００の信頼性を高めることができる。
【００６６】
また、上述の実施形態では、ＩＤカードの更新時に、更新申請人の顔画像をビデオカメラ４１により直接撮影する場合を示したが、図８に示すように、申請人の顔写真Ｐが貼付された申請書βを用いる場合は、申請書β上の顔写真Ｐを撮影する複写撮影を行うようにしてもよい。このような複写撮影が可能な撮影装置４ａは、図８に示すように、ＯＣＲ部２２とスキャナ部２３の間にデジタルカメラ等の電子カメラ３０が設けられており、申請書βに貼付されている顔写真Ｐを、電子カメラ３０で撮影することにより、顔画像データを得ることができる。
【図面の簡単な説明】
【００６７】
【図１】本発明の実施形態におけるＩＤカード作成システムの全体構成を示す図。
【図２】図１の撮影装置の側面内部透視図。
【図３】図１の撮影装置の主要部構成を示すブロック図。
【図４】撮影装置により実行される情報ファイル作成処理を示すフローチャート。
【図５】情報ファイル作成処理で作成された情報ファイルのデータ構成を示す図。
【図６】ファイルサーバに送信される情報ファイルのデータ構成の例を示す図。
【図７】ファイルサーバの主要部構成を示す図。
【図８】本実施形態の変形例における撮影装置の側面内部透視図。
【図９】従来の撮影装置により実行される画像データベース作成処理を示すフローチャート。
【符号の説明】
【００６８】
１    ホスト
１ａ    ＤＢ
２    ファイルサーバ
３    登録装置
４、４ａ    撮影装置
５    ＩＤカード作成装置
２０    読取部
２２    ＯＣＲ部（文字認識装置）
２３    スキャナ部
２３ａ    イメージスキャナ
２３ｂ    メモリ
３０    電子カメラ
４０    装置制御部
４１    ビデオカメラ
４２    操作部
４４    ＣＰＵ
４５    ファイル編集制御部
４６    イメージデータ圧縮部
４７    メモリ
４９    通信制御部
５１    認識部
５２    判別部
１００    ＩＤカード作成システム
２０１    通信制御部
２０２    メモリ
２０３    編集部
２０４    ＤＢ
α、β    申請書
Ｎ    通信ネットワーク
【図１】
2005254563.tif 000003
【図２】
2005254563.tif 000004
【図３】
2005254563.tif 000005
【図４】
2005254563.tif 000006
【図５】
2005254563.tif 000007
【図６】
2005254563.tif 000008
【図７】
2005254563.tif 000009
【図８】
2005254563.tif 000010
【図９】
2005254563.tif 000011